(57)【特許請求の範囲】
【請求項１】
１．天井が開放されかつ内部を上下に二分されたハウジングと、交流コンセント差し込み用の２本のピンと該２本のピンの根元部を埋設する後端が半円柱形に形成されたピン保持部とからなり該ハウジングの上半分内に起倒自在に収容されたプラグと、前記ハウジングの下半分内に設置された交直変換用電気機器と、該交直変換用電気機器と前記プラグとを電気的に接続する接続手段と、該交直変換用電気機器から出力される直流電圧を他の電子機器へ配電する手段と、前記プラグが起立した時該プラグの半円柱形後端をバネ力により押圧するプラグロック手段とを備えてなり、該プラグロック手段は平行に配列された２個の部材と該２個の部材間を連結する一対のＳ字状の板バネとを備えてなり該２個の部材の内の一方はハウジング後部に固定され他方の部材は前後方向に可動してなるＡＣチャージャ。
【請求項２】
２．前記プラグロック手段の前記バネの押圧力を除去することにより起立したプラグへのロックを解除するロック解除手段を備えることを特徴とする請求項１に記載のＡＣチャージャ。
【請求項３】
３．前記ロック解除手段は前記プラグロック手段の可動部材の上面に取り付けられた爪部を備えることを特徴とする請求項２に記載のＡＣチャージャ。
【請求項４】
４．前記ハウジングの左右側壁内面に、相互間の距離が前記２本のピンの外側間の距離よりやや大きくなるように形成された２個の半球状の突起からなる収納時プラグ保持手段を備えてなる請求項１に記載のＡＣチャージャ。
【請求項５】
５．前記交直変換用電気機器と前記プラグとを電気的に接続する接続手段は、前記プラグの半円柱形後端部の表面に配置されかつ前記２本のピンとそれぞれ接続された２個の接片を備えることを特徴とする請求項１に記載のＡＣチャージャ。
【発明の詳細な説明】
技術分野
本発明は、ＡＣチャージャに関し、特に、使用時には差し込みプラグをハウジング又は筐体から突出させ、不使用時には差し込みプラグを筐体内に収納することができる小型、構造簡単、安価、かつ携帯に便利なＡＣチャージャに関する。
背景技術
最近、蓄電池式の携帯用電子機器が増加する趨勢にある。このような電子機器は蓄電池を充電するためにＡＣチャージャが必要である。特に、蓄電池式の携帯用電子機器を海外に持って行く場合には、海外におけるＡＣ２００Ｖのコンセントに適用可能なＡＣチャージャが必要である。
ＡＣチャージャは、周知のように、交流電圧を直流電圧に変換するための変圧器、整流器等のような電気機器と、コンセントに差し込んでＡＣ電源を取り出して上記電気機器に供給するための差し込みプラグ（以下プラグという）と、変圧器とプラグとを接続する２本の接続線と、整流器から出力される直流電圧を電子機器へ供給するための接続線とを備えている。
第１０図は従来の一般的なＡＣチャージャの外観を示す。第１０図において、密閉されたほぼ四角のハウジング２０内には上記交直変換用電気機器が内蔵されている。ハウジング２０の一面にプラグ２１が立設されている。プラグ２１は２本の金属性ピン２２、２２と、このピン２２、２２を等間隔に保持しかつ相互間の絶縁を保つための絶縁体からなるピン保持部２３からなる。このピン２２、２２は、ピン先端が互いに向き合う方向に向き合い且つピン保持部２３に首振り状態で植設されている。
このような構造のピン２２、２２は図示しないコンセントに差し込む際に、ピン自体の位置規制をしながら差し込まれる。
ハウジング２０の一端からは、ブッシュ２４を介して直流電圧を出力するケーブル２５が出ている。
第１０図に示すものは一例に過ぎないが、従来のＡＣチャージャに共通するのは、ハウジング２０からプラグ２１が突き出た構造となっていることである。
しかしながら、上記従来のＡＣチャージャのようにプラグがハウジングから突出しているものは、特に海外旅行等の際には携帯に不便であり、問題点となっていた。
従って、本発明は上記問題点を解消し、携帯性の高いＡＣチャージャを小型、構造簡単、かつ低コストで実現することに課題を有する。
発明の開示
上記課題を解決するために、本発明に係るＡＣチャージャは、天井が開放されかつ内部を上下に二分されたハウジングと、交流コンセント差し込み用の２本のピンと該２本のピンの根元部を埋設する後端が半円柱形に形成されたピン保持部とからなり該ハウジングの上半分内に起倒自在に収容されたプラグと、前記ハウジングの下半分内に設置された交直変換用電気機器と、該交直変換用電気機器と前記プラグとを電気的に接続する接続手段と、該交直変換用電気機器から出力される直流電圧を他の電子機器へ配電する手段と、前記プラグが起立した時該プラグの半円柱形後端をバネ力により押圧するプラグロック手段とを備えてなり、該プラグロック手段は平行に配列された２個の部材と該２個の部材間を連結する一対のＳ字状の板バネとを備えてなり該２個の部材の内の一方はハウジング後部に固定され他方の部材は前後方向に可動してなる。
上記構成によるＡＣチャージャは、不使用時にはプラグを横に倒してハウジングの上半分内に収納することができるから、不使用時の外観は四角になり、携帯に便利となる。
また、上記構造により、ＡＣチャージャの使用時において、プラグを起立させた時、プラグロック手段によりプラグの起立が維持される。
更に、このような構造により、プラグロック手段の可動部材は常にプラグを押圧しており、プラグ起立時に自動的にプラグをロックする。
また、本発明に係るＡＣチャージャは、前記プラグロック手段の前記バネの押圧力を除去することにより起立したプラグへのロックを解除するロック解除手段を備える。これにより、ＡＣチャージャを使用しない時には、容易にプラグを倒してハウジング内に収納することができる。
また、上記ロック解除手段は前記プラグロック手段の可動部材の上面に取り付けられた爪部を備える。この構造により、上記爪部に指をかけて上記可動部材をバネの弾力に抗して移動することにより容易に可動部材をプラグの表面から引き離しロックを解除することができる。
また、本発明に係るＡＣチャージャは、収納時プラグ保持手段を備える。この収納時プラグ保持手段は、上記ハウジングの左右側壁内面に形成された２個の半球状の突起で構成される。上記２個の半球状の突起の相互間の距離はプラグの２本のピンの外側間の距離よりやや大きくしてあり、従って、プラグを起立状態から収納状態に移行する時には２本のピンは２個の半球状の突起に接触した状態で通過することができる。
更に、本発明に係るＡＣチャージャの上記交直変換用電気機器と前記プラグとを電気的に接続する接続手段は、前記プラグの半円柱形後端部の表面に配置されかつ前記２本のピンとそれぞれ接続された２個の接片を備える。
この構造により、上記２個の接片は、適当な位置に設置された電気接点とスライド式に接続される。
【図面の簡単な説明】
第１図は、本発明に係るＡＣチャージャの一実施例の使用時の斜視図である。
第２図は、同実施例の不使用時の斜視図である。
第３図は、同実施例の不使用時の上面図である。
第４図は、同実施例の不使用時の正面図である。
第５図は、同実施例の使用時の側断面図である。
第６図は、同実施例の使用時におけるプラグの斜視図である。
第７図は、同実施例の不使用時におけるプラグの斜視図である。
第８図は、同実施例のプラグロック手段の斜視図である。
第９図は、同実施例のプラグロック手段の取り付け状態を示す斜視図である。
第１０図は、従来のＡＣチャージャの説明図である。
発明を実施するための最良の形態
以下、本発明に係るＡＣチャージャの実施例について図面を用いて詳細に説明する。
第１図は本発明に係るＡＣチャージャの一実施例の使用時の斜視図、第２図は不使用時の斜視図、第３図は不使用時の上面図、第４図は不使用時の正面図、第５図は使用時の側断面図である。
本発明に係るＡＣチャージャは、図示のように、天井が開放されかつ内部を上下に二分された四角なハウジング１と、ハウジング１の下半分内部に設置された交直変換用電気機器２と、ハウジング１の上半分内に後述するように設置されたプラグ３と、ハウジング１の上半分内に後述するように設置されたプラグロック手段及びプラグロック解除手段としてのプラグロッカ４とを備えている。
プラグ３は、ハウジング１の側壁に起倒自在に軸支されており、起立した時は第１図に示すようにハウジング１の上面から突出し、倒した時は第２図に示すようにハウジング１内に収納される。
第６図及び第７図は、それぞれ、プラグ３の起立状態及び収納状態を表す。図示のように、プラグ３は、半円柱状の部材５と、２本の金属性ピン６、６と、半円柱状の部材５の切断面に立設された６角柱のピン保持部７とからなる。ピン６、６はピン保持部７の一端面に所定の間隔で植設されそれらの先端は互いに向き合う方向に傾斜しており、その植設された基部は、ピン先端がコンセントに嵌り込んで位置規制できるように、首振り状態に動ける構造となっている。ピン保持部７はピン６、６間の絶縁を保持するため絶縁体で作成されている。
上記のように、プラグ３の下端面は半円柱状に形成されているため、第６図に示すようにプラグ３を平面上に立てた時には、第７図に示すように自然に転倒するようになっている。
プラグ３の６角柱のピン保持部７の一面には、プラグロッカ４の寸法より大きな面積を有する四角の凹部８が形成されている。これにより、プラグ３がハウジング１に収容された時にプラグ３の下面がプラグロッカ４と衝突しないようにしてある。
第３図及び第５図に示すように、プラグ３の半円柱状の部材５には回転軸５ａが設けられており、この回転軸５ａは上部ハウジング１の前部の左右側壁内面に設けられた軸受により軸支されている。又、この半円柱状の部材５は、円柱外側面であって、長手方向に沿って、切欠き５ｂを設けてある。切欠き５ｂは、プラグ３を起立状態に係合係止するものである。
また、第５図に示すように、ハウジング１の前部（第５図において右）には４分円形のガイド９が設けられており、プラグ３の半円柱状の部材５はガイド９に案内されて回動するようになっている。
ピン６、６の後端は半円柱状の部材５の下端面に設けられた図示していない２個の接片と電気的に接続されている。なお、この接片は、プラグ３が起立した時、図示していないプリント基板を介して変圧器の入力端子と電気的に接続されるようになっている。
プラグロッカ４は、プラグ３を収納起立する際に半円柱状の部材５に摩擦係合して、安定した回動動作を維持すると共に、起立した時転倒しないように起立状態を保持するための係合係止するものである。プラグロッカ４は、第８図に示すように、四角な板材１０と、板材１０に平行に置かれた細長い角材１１と、板材１０と角材１１とを連結する２個のＳ字状の板バネ１２、１２とからなる。板材１０の前端には板材１０の厚さより大きい高さを有するブロック１０ａが一体形成されている。
プラグロッカ４は、第９図に示すように、ハウジング１の上部を開口した陥没部１３の底面上に配置される。角材１１を陥没部１３の最後部に固定し、板材１０及び板バネ１２、１２は開放状態とする。つまり、板材１０は板バネ１２、１２の弾力により前進する方向に付勢されている。
プラグ３とプラグロッカ４とを上記所定の位置にそれぞれ取り付け、プラグ３をハウジング１に収納した時の状態は、第２図、第３図、第４図に示すようになる。この時、プラグロッカ４は、プラグ３の凹部８の中に収容される。
プラグ３を起立させる時は、第５図に示すように、プラグロッカ４の板材１０はプラグ３の凹部８から開放され、板バネ１２、１２の伸長力によりプラグ３の半円柱状の部材５の後面を押圧して摩擦係合する。その状態でプラグ３を直立させた時、プラグ３は所定の摩擦力を持って回動動作をするため、安定した動きになり、前方をガイド９及びハウジング１の前壁によってそれ以上の回動を阻止される。同時に、プラグ３の半円柱状の部材５の後面はプラグロッカ４のブロック材１０ａの前端により押圧され、その結果、プラグ３は前方へも後方へも転倒できないで起立状態に維持される。
プラグロッカ４の板材１０の上面にはプラグロック解除手段としての傾斜面を持つ突起１４が設けられている。この突起１４に指をかけて板材１０を板バネ１２、１２の弾力に抗して後方へ動かすことにより、板材１０とプラグ３の半円柱状の部材５との係合係止を解除する。その結果、プラグ３に対する起立保持力が失われるから、簡単にプラグ３を倒してハウジング１内に収納することができるようになっている。
各図に示すように、ハウジング１の後部の左右側壁は内方に向かって突き出ており、この左右の突出部分の各中央最上端に、半球状の突起１５、１５が形成されている。この突起１５、１５間の間隔は、プラグ３のピン６、６の各外側間の距離より僅かに大きくしてある。これにより、起立しているプラグ３を倒してハウジング１内に収納する時には突起１５、１５はピン６、６と抵触して、ピン６、６が内側方向に曲げられて、内側に入る。
プラグ３をハウジング１に収納した後、ピン６、６が外側に出ようとしても、突起１５、１５間を通過することができず半ロック状態となる。
上記実施例において、プラグ３のピン保持部７の形状は６角形としたがそれに限定するものではない。
また、プラグロッカ４の形状及び構造も上記実施例に限定するものでないことは勿論である。
産業上の利用可能性
上記説明したように、本発明に係るＡＣチャージャは、使用時にプラグを起立させ、不使用時にはプラグをハウジング内に収納することができるから、不使用時の形状が四角になり携帯に便利である。また、構造が簡単であるから安価である。
【図１】
0003574639.tif 000002
【図２】
0003574639.tif 000003
【図３】
0003574639.tif 000004
【図４】
0003574639.tif 000005
【図５】
0003574639.tif 000006
【図６】
0003574639.tif 000007
【図７】
0003574639.tif 000008
【図８】
0003574639.tif 000009
【図９】
0003574639.tif 000010
【図１０】
0003574639.tif 000011